(57)【要約】【課題】放送音声コンテンツの瞬断による途切れをリアルタイムで精度良く補完し、良好な品質の音声コンテンツを受信可能とする。【解決手段】音声放送の種類やサービスの種類に応じてビットレートがＡＡＣエンコーダ２１，２２で設定される。この音声放送の番組素材がＤＢ２から読み出され、ＡＡＣエンコーダ２１で指定されたビットレートのメインストリームが、ＡＡＣエンコーダ２２で指定されたビットレートのサブストリームが夫々生成される。バッファ２３，バッファ２４により、サブストリームはメインストリームよりも上記の遅延時間だけ遅延され、処理手段２５でメイン，サブストリームが夫々ＰＥＳパケット化、さらに、ＴＳパケット化される。これらストリームは多重化手段２６でＴＳパケット単位で多重化され、放送される。受信端末では、瞬断があると、メインストリームの瞬断部分がサブストリームで補完される。【選択図】　　　　図４
2004129121.tif 000002
【特許請求の範囲】
【請求項１】
デジタル映像・音声素材により構成される番組を映像・音声圧縮符号化方式で圧縮するエンコーダで圧縮符号化処理し、該処理によって得られるビットのストリームをデジタル放送コンテンツとして送出するデジタル放送コンテンツの送信側装置において、
該エンコーダは、圧縮符号化された該デジタル映像・音声素材のメインストリームとサブストリームとの２つのストリームを生成し、
該メインストリームと該サブストリームとを、それら間に放送中で生ずる瞬断の時間長に応じた時間差を持たせて、該デジタル放送コンテンツとする瞬断対応処理手段を設けたことを特徴とするデジタル放送コンテンツの送信側装置。
【請求項２】
請求項１において、
前記エンコーダは、前記デジタル映像・音声素材を圧縮符号化して前記メインストリームを生成する第１のエンコーダと、前記デジタル音声素材を圧縮符号化して前記サブストリームを生成する第２のエンコーダとからなり、
該第１，第２のエンコーダ毎に生成するストリームのビットレートを設定する手段を設けたことを特徴とするデジタル放送コンテンツの送信側装置。
【請求項３】
請求項１において、
前記エンコーダは、前記デジタル音声素材を圧縮符号化して前記メインストリームを生成するエンコーダと、該エンコーダで生成された前記メインストリームを処理して前記サブストリームを生成するサブストリーム生成手段とからなり、該第１のエンコーダに前記メインストリームのビットレートを設定する手段と、該サブストリーム生成手段に前記サブストリームのビットレートを設定する手段とを設けたことを特徴とするデジタル放送コンテンツの送信側装置。
【請求項４】
請求項２または３において、
複数の放送サービスが選択可能であって、選択された該放送サービスに応じて前記メインストリーム及び前記サブストリームのビットレートを設定することを特徴とするデジタル放送コンテンツの送信側装置。
【請求項５】
請求項４において、
前記瞬断対応処理手段は、前記時間差を持つ前記メインストリームと前記サブストリームを夫々パケット化し、多重化して放送用のストリームを生成し、かつ前記時間差を前記放送サービスに応じて異ならせることを特徴とするデジタル放送コンテンツの送信側装置。
【請求項６】
請求項４において、
前記瞬断対応処理手段は、前記時間差を持つ前記メインストリームと前記サブストリームと、前記メインストリームと前記サブストリームとに関するＰＳＩ（Ｐｒｏｇｒａｍ　Ｓｐｅｃｉｆｉｃ　Ｉｎｆｏｒｍａｔｉｏｎ）／ＳＩ（Ｓｅｒｖｉｃｅ　Ｉｎｆｏｒｍａｔｉｏｎ）情報とを夫々パケット化し、多重化して放送用のストリームを生成し、かつ前記時間差を前記放送サービスに応じて異ならせることを特徴とするデジタル放送コンテンツの送信側装置。
【請求項７】
請求項６において、
前記複数の放送サービスを選択する際に、予め保持された前記メインストリームのビットレートと前記サブストリームのビットレートと前記時間差に関する対応データとを参照することを特徴とするデジタル放送コンテンツの送信側装置。
【請求項８】
デジタル映像・音声素材のパケット化されたメインストリームと該メインストリームよりも遅延された該デジタル映像・音声素材のパケット化されたサブストリームとの多重信号からなる番組信号を受信する受信手段と、該受信手段で受信された該番組信号から所望の番組信号のメインストリームとサブストリームとのパケットを抽出するパケット抽出手段と、
該パケット抽出手段で抽出されたパケットを、該メインストリームのパケットと該サブストリームのパケットとを分離するパケット分離手段と、
該パケット分離手段で分離された該メインストリームのパケットを保持するメインストリームバッファと、
該パケット分離手段で分離された該サブストリームのパケットを保持するサブストリームバッファと、
該メインストリームバッファから該メインストリームのパケットを順次取り込んで逆パケット化処理して圧縮符号化された該デジタル映像・音声素材に変換し、かつ瞬断によって該メインストリームバッファから該メインストリームのパケットが取り込めないとき、取り込めない該メインストリームに対応する該サブストリームのパケットを該サブストリームバッファから取り込んで該メインストリームの瞬断を補完して逆パケット化処理し、圧縮符号化された該デジタル映像・音声素材とする逆パケット化処理手段と、
該逆パケット化処理手段からの該圧縮符号化されたデータ映像・音声素材を伸長復号するデコーダと
を備えたことを特徴とするデジタル放送コンテンツの受信側装置。
【請求項９】
請求項８において、
前記メインストリームと前記サブストリームは夫々、ヘッダに連番となるパケット番号が付加されたＰＥＳ（Ｐａｃｋｅｔｉｚｅｄ　Ｅｌｅｍｅｎｔａｒｙ　Ｓｔｒｅａｍ）パケット化されており、
前記逆パケット処理手段は、前記メインストリームバッファから前記メインストリームのＰＥＳパケットの該パケット番号が検出できないとき、前記瞬断による途切れ期間の開始と判定し、前記メインストリームバッファから再び前記メインストリームのＰＥＳパケットの該パケット番号が検出できるようになると、前記瞬断による途切れ期間の終了と判定し、途切れ期間の開始の判定から途切れ期間の終了の判定までの期間、前記サブストリームの前記メインストリームへの補完処理を行なうことを特徴とするデジタル放送コンテンツの受信側装置。
【請求項１０】
請求項９において、
前記パケット分離手段は、前記多重化信号から前記メインストリームのＰＥＳパケットを分離する毎に、分離した該ＰＥＳパケットからそのパケット番号を抽出して保持手段に保持し、
前記前記逆パケット処理手段は、前記メインストリームのＰＥＳパケットの該パケット番号が検出できないとき、該保持手段に保持された該パケット番号の次のパケット番号の前記サブストリームのＰＥＳパケットを前記メインストリームに補完することを特徴とするデジタル放送コンテンツの受信側装置。
【請求項１１】
請求項８，９または１０において、
前記多重信号には、前記メインストリームと前記サブストリームとに関するＰＳＩ（Ｐｒｏｇｒａｍ　Ｓｐｅｃｉｆｉｃ　Ｉｎｆｏｒｍａｔｉｏｎ）／ＳＩ（Ｓｅｒｖｉｃｅ　Ｉｎｆｏｒｍａｔｉｏｎ）情報がパケット化されて多重化されており、
前記パケット抽出手段は、前記多重信号から前記所望の番組の該ＰＳＩ／ＳＩ情報のパケットを抽出するとともに、抽出した該ＰＳＩ／ＳＩで指定される番組の前記メインストリームと前記サブストリームとのパケットを抽出することを特徴とするデジタル放送コンテンツの受信側装置。
【請求項１２】
デジタル映像・音声素材を圧縮符号化してビット列からなるメインストリームと該メインストリームよりも放送中に発生する瞬断の時間長に相当する遅延時間遅延されたサブストリームとを生成し、該メインストリームと該サブストリームとをパケット化して多重し、放送信号として送出する番組素材配信装置と、
該放送信号を送信して番組放送を行なう放送装置と、
該放送信号を受信して該メインストリームと該サブストリームとに分離し、該メインストリームを、瞬断によるその途切れの期間をパケット単位で該サブストリームで補完しながら、伸長復号してもとの該デジタル映像・音声素材を復元する受信端末と
からなることを特徴とするデジタル放送コンテンツの放送システム。
【請求項１３】
請求項１２において、
前記放送装置は、番組放送の対象を異にする複数の放送サービスが可能であって、
前記番組素材配信装置は、前記デジタル番組素材の放送の種類や該放送サービスに応じて前記サブストリームの前記メインストリームに対する前記遅延時間を異ならせることを特徴とするデジタル放送コンテンツの放送システム。
【請求項１４】
請求項１３において、
前記番組素材配信装置は、前記デジタル番組素材の放送の種類や前記放送サービスに応じて前記メインストリームのビットレートに対する前記サブストリームのビットレートを設定することを特徴とするデジタル放送コンテンツの放送システム。
【請求項１５】
請求項１２，１３または１４において、
前記受信端末は、前記メインストリームのパケット毎に付加されているパケット番号の検出の有無に応じて前記瞬断の期間を検出し、前記メインストリームの検出されないパケット番号と同じパケット番号の前記サブストリームのパケットで前記メインストリームの前記瞬断の期間を補完することを特徴とするデジタル放送コンテンツの放送システム。
【請求項１６】
デジタル映像・音声素材を圧縮符号化してビット列からなるメインストリームと該メインストリームよりも放送中に発生する瞬断の時間長に相当する遅延時間遅延されたサブストリームとを生成して夫々パケット化し、多重化して放送し、
該放送を受信して、受信信号から該メインストリームと該サブストリームとに分離し、該メインストリームを、瞬断によるその途切れの期間をパケット単位で該サブストリームで補完しながら、伸長復号してもとの該デジタル音声素材を復元することを特徴とするデジタル放送コンテンツの放送方法。
【請求項１７】
請求項１６において、
番組放送の対象を異にする複数の放送サービスが可能であって、前記デジタル番組素材の放送の種類や該放送サービスに応じて前記サブストリームの前記メインストリームに対する前記遅延時間を異ならせることを特徴とするデジタル放送コンテンツの放送方法。
【請求項１８】
請求項１７において、
前記デジタル番組素材の放送の種類や前記放送サービスに応じて前記メインストリームのビットレートに対する前記サブストリームのビットレートを設定することを特徴とするデジタル放送コンテンツの放送方法。
【請求項１９】
請求項１６，１７または１８において、
受信した前記メインストリームのパケット毎に付加されているパケット番号の検出の有無に応じて前記瞬断の期間を検出し、前記メインストリームの検出されないパケット番号と同じパケット番号の前記サブストリームのパケットで前記メインストリームの前記瞬断の期間を補完することを特徴とするデジタル放送コンテンツの放送方法。
【発明の詳細な説明】
【０００１】
【発明の属する技術分野】
本発明は、音声情報などのコンテンツの放送に係り、特に、かかるコンテンツを放送によって視聴者側に配信する放送側装置、放送されたかかるコンテンツを受信する受信側装置、かかるコンテンツを配信する放送システム及び放送方法に関する。
【０００２】
【従来の技術】
従来、デジタル放送受信中に電波が途切れて（瞬断して）データが受信できなくなった場合には、「クリフ・エフェクト」と呼ばれる突然放送が途切れる「音切れ」現象が発生することがある。
【０００３】
従来、これを補正する１つの方法として、他の機器から受信したＴＳ（トランスポートストリーム）中の付加情報内に不連続情報が含まれているか否かを検出し、不連続情報が検出された場合には、ＴＳ中の付加情報の取り込みを行なうことにより、外部から入力されるプログラム（番組）が変化したときのデータの復号化を迅速に行ない、復号出力が途切れないようにする技術がある（例えば、特許文献１参照）。
【０００４】
また、他の方法として、データ放送による送信データファイルが途切れた場合には、放送局からの電波を利用して、データファイルを伝送するとともに、このデータファイルのファイル属性を含む補助情報を有する送信ファイルー覧を、データファイルとは別のファイルとして伝送するデータ放送システムがある。これにより、未到着データファイルの存在を確認して、そのファイル名も特定することができる。また、エラーメッセージを別途表示するような必要がなく、邪魔になることもない。さらに、リトライを繰り返して未到着データを取りに行き、既に受信しているデータやエラーメッセージの表示に時間がかかるという問題を回避する（例えば、特許文献２参照）。
【０００５】
【特許文献１】
特開２０００−２１６８４８号公報
【０００６】
【特許文献２】
特開平１０−２４３３６６号公報
【０００７】
【発明が解決しようとする課題】
しかし、上記従来技術においては、不連続情報を検出した後、デジタルデータが再度正常に検出されるまでの間、最後に正常に出力したデジタルデータを出力し続けている。このような方法では、視聴者にとっては音声が不自然になってしまう。
【０００８】
また、上記従来技術では、いずれも放送データが来ないことを検知してから、代替データの作成、並びに最後に正常に出力したデータを出力するために、処理の時間遅れが発生し易くリアルタイム性を満足させることが難しい。この時間遅れは、デジタル放送の視聴者にとっては心地よいものではなく、リアルタイムで視聴者が意識しないようにデジタルデータを補完し、出力する方法が望ましい。
【０００９】
本発明の目的は、かかる問題を解消し、放送音声コンテンツの瞬断による途切れをリアルタイムで精度良く補完し、良好な品質の音声コンテンツを受信可能としたデジタル放送コンテンツの送信側装置、受信側装置、放送システム及び放送方法を提供することにある。
【００１０】
【課題を解決するための手段】
上記目的を達成するために、本発明によるデジタル放送コンテンツの送信側装置は、デジタル音声素材をエンコーダで圧縮符号化処理し、この処理によって得られるビットのストリームをデジタル放送コンテンツとして送出するものであって、エンコーダは、圧縮符号化された該デジタル音声素材のメインストリームとサブストリームとの２つのストリームを生成し、メインストリームとサブストリームとを、それら間に放送中で生ずる瞬断の時間長に応じた時間差を持たせて、該デジタル放送コンテンツとする瞬断対応処理手段を設けたものである。
【００１１】
また、本発明によるデジタル放送コンテンツの受信側装置は、デジタル音声素材のパケット化されたメインストリームと該メインストリームよりも遅延された該デジタル音声素材のパケット化されたサブストリームとの多重信号からなる番組信号を受信する受信手段と、受信手段で受信された番組信号から所望の番組信号のメインストリームとサブストリームとのパケットを抽出するパケット抽出手段と、パケット抽出手段で抽出されたパケットを、メインストリームのパケットとサブストリームのパケットとを分離するパケット分離手段と、パケット分離手段で分離されたメインストリームのパケットを保持するメインストリームバッファと、パケット分離手段で分離されたサブストリームのパケットを保持するサブストリームバッファと、メインストリームバッファからメインストリームのパケットを順次取り込んで逆パケット化処理して圧縮符号化されたデジタル音声素材に変換し、かつ瞬断によって該インストリームバッファからメインストリームのパケットが取り込めないとき、取り込めないメインストリームに対応するサブストリームのパケットをサブストリームバッファから取り込んでメインストリームの瞬断を補完して逆パケット化処理し、圧縮符号化されたデジタル音声素材とする逆パケット化処理手段と、逆パケット化処理手段からの圧縮符号化されたデータ音声素材を伸長復号するＡＡＣデコーダとを備えたものである。
【００１２】
さらに、本発明によるデジタル放送コンテンツの放送システムは、デジタル音声素材を圧縮符号化してビット列からなるメインストリームとこのメインストリームよりも放送中に発生する瞬断の時間長に相当する遅延時間遅延されたサブストリームとを生成し、メインストリームとサブストリームとをパケット化して多重し、放送信号として送出する番組素材配信装置と、放送信号を送信して番組放送を行なう放送装置と、放送信号を受信してメインストリームとサブストリームとに分離し、該メインストリームを、瞬断によるその途切れの期間をパケット単位でサブストリームで補完しながら、伸長復号してもとのデジタル音声素材を復元する受信端末とからなるものである。
【００１３】
さらに、本発明によるデジタル放送コンテンツの放送方法は、デジタル音声素材を圧縮符号化してビット列からなるメインストリームとメインストリームよりも放送中に発生する瞬断の時間長に相当する遅延時間遅延されたサブストリームとを生成して夫々パケット化し、多重化して放送し、この放送を受信して、受信信号からメインストリームとサブストリームとに分離し、メインストリームを、瞬断によるその途切れの期間をパケット単位でサブストリームで補完しながら、伸長復号してもとのデジタル音声素材を復元するものである。
【００１４】
【発明の実施の形態】
以下、本発明の実施形態を図面を用いて説明する。
図１は本発明によるデジタル放送コンテンツの送信側装置、受信側装置、放送システム及び放送方法の一実施形態を示す構成図である。
【００１５】
同図において、送信側装置である。番組素材配信局１では、素材管理編集部３で管理される素材ＤＢ（データベース）２が設けられており、これに放送するデジタル情報としての音声の番組素材（コンテンツ）が格納されている。音声番組素材としては、音声番組のモノラル音声やステレオ音声、テレビ番組の音声、移動体端末や携帯端末の音声などがある。かかる番組素材は、磁気テープなどの記録媒体などで収録されたものでもよいし、ＴＶカメラ８やマイクロホン９から入力されたものでもよい。かかる番組素材は、素材管理編集部３で番組用に編集・デジタル化されて素材ＤＢ２に蓄積される。素材切替部４で、素材ＤＢ２からの蓄積コンテンツとＴＶカメラ８やマイクロホン９といったライブコンテナツの切替えを行なう。
【００１６】
素材ＤＢ２に格納されている所定の番組素材を放送する場合には、素材管理編集部３によってこの番組素材が読み出され、エンコーダ５に供給されて圧縮符号化された後、局側瞬断対応処理部６で、この番組素材の放送中に生ずる瞬断を防止するための処理がなされる。この局側瞬断対応処理部６から出力される番組素材は送出部７に供給され、デジタル変調がなされて送出される。
【００１７】
かかる番組素材を衛星デジタル通信によって放送する場合には、番組素材配信局１から送出されたかかる番組素材が番組情報としてアップリンク局１０に送られ、このアップリンク局１０に割り当てられた周波数帯の番組放送信号に変換されて衛星１１（放送衛星や通信衛星など）に送信され、そこで所定の処理がなされて地上に送信される。また、番組素材配信局１から送出される番組素材を地上波デジタル通信によって放送する場合には、かかる番組素材が番組情報として地上波デジタル放送局１２に送られ、この地上波デジタル放送局１２に割り当てられた周波数帯の番組放送信号に変換されて送信される。
【００１８】
一方、受信側装置である受信端末１３では、ユーザの選局操作により、衛星１１もしくは地上波デジタル放送局１２からの番組放送信号が受信アンテナ１４からＲＦ受信部１５で受信され、周波数変換や増幅などの処理がなされる。ＲＦ受信部１５でかかる処理がなされた番組放送信号は、デジタル復調部１６でデジタル復調された後、端末側瞬断対応処理部１７に供給される。この端末側瞬断対応処理部１７では、衛星１１もしくは地上波デジタル放送局１２から受信端末１３に放送される番組放送信号、特に、音声放送信号（勿論、テレビジョン番組の音声信号も含む）に瞬断が生じた場合、番組素材配信局１の局側瞬断対応処理部６によってなされた瞬断防止処理に基づいて、この瞬断による音声の途切れをなくす処理（瞬断補正処理）が行なわれる。局側瞬断対応処理部６で処理された番組放送信号は、デコーダ１８で復号伸長処理がなされた後、アナログ信号に変換され、その映像信号は映像・図形表示部１９に供給されて番組の映像が表示され、また、音声信号は音声再生部２０に供給されて音声再生が行なわれる。
【００１９】
ここで、瞬断は音声情報に対して、特に、問題となるので、局側瞬断対応処理部６は、番組素材のうち、音声情報に対して瞬断防止処理が行なわれる。このようにして、放送注に瞬断が発生しても、受信端末１３では、送信側での瞬時防止処理に基づいて、受信した音声信号の瞬断の補正が行なわれ、音声の途切れをなくすことができる。
【００２０】
また、番組素材配信局１におけるエンコーダ５は、ＭＰＥＧ（Ｍｏｖｉｎｇ　ＰｉｃｔｕｒｅＥｘｐｅｒｔｓ　Ｇｒｏｕｐ）２の規格に基づく圧縮符号化処理（エンコード）を行なうものであり、従って、受信端末１３でのデコーダ１８は、ＭＰＥＧ２の規格に基づく復号伸長処理（エンコード）を行なうものである。音声情報に対しては、エンコーダ５として、サブバンド符号化を使用し、聴覚心理的な特性を利用して高能率の圧縮を図るＡＡＣ（Ａｄｖａｎｃｅｄ　Ａｕｄｉｏ　Ｃｏｄｉｎｇ）エンコーダを用いる。従って、受信端末１３側では、デコーダ１８として、これによって圧縮符号化された音声情報を伸長復号するＡＡＣデコーダを用いる。
【００２１】
各放送局１２には、図２に示すように、放送のために、５．６ＭＨｚの周波数帯が割り当てられており、この周波数帯は１３のセグメント１〜１３に区分されて使用される。そして、セグメント１〜５，９〜１３は、家庭用のチャンネル（固定サービス）用として、高ビット（高品質）の画像の放送に用いられる。また、Ａ階層としてのセグメント７は携帯端末向けのコンテンツの放送に用いられ、Ｂ階層としてのセグメント６，８は移動体向けのコンテンツの放送に用いられる。このようにして、各放送局１２には、３チャンネルの番組放送の周波数帯が割り当てられており、１つの放送局１２から家庭向けと携帯端末向けと移動体向けの３つの放送を行なうことができる。音声番組素材についても、同様である。従って、図１での受信端末は、家庭内のＴＶ受信機やラジオ受信機であってもよいし、携帯電話やＰＤＡ（Ｐｅｒｓｏｎａｌ　Ｄｉｇｉｔａｌ　Ａｓｓｉｓｔａｎｔ）などの携帯端末であってもよいし、カーナビなどの移動体端末であってもよい。
【００２２】
図３はこの実施形態の局側瞬断対応処理部６と端末側瞬断対応処理部１７とによる瞬断の補正処理の基本原理を示す説明図である。
【００２３】
同図において、放送局側では、番組素材配信局６での局側瞬断対応処理部６がエンコーダ５から供給される音声番組素材の圧縮符号化データであるビット列からなるストリームそれ自体をメインストリームとし、同じ音声番組素材からこのメインストリームよりも所定時間ＴＤだけ遅延されたサブストリームを作成し、これらメインストリームとサブストリームとを多重化して放送するものである。
受信端末側では、端末側瞬断対応処理部１７において、受信した音声番組信号からメインストリームとサブストリームとに分離してバッファに蓄積し、メインストリームに瞬断による音声番組素材の途切れがあると、その部分をサブストリームの対応する部分で補完するものである。
【００２４】
この実施形態では、かかる原理のもとに、放送サービスの対象となる端末毎に、即ち、家庭内の上記受信端末に対する固定サービスと移動体端末に対する移動体サービスと携帯端末に対する携帯サービスとでメインストリームとサブストリームとの関係を異ならせ、夫々のサービスに適応した関係とするものである。
【００２５】
次に、図１における番組素材配信局１と受信端末１３の要部をさらに詳細に説明する。
【００２６】
図４は音声番組素材に関する図１での番組素材配信局１の要部の一具体例を示すブロック図であり、図１に対応する部分には同一符号を付けて重複する説明を省略する。
【００２７】
同図において、瞬断対応プロファイルテーブル２８には、放送サービスの種類（即ち、固定サービス，移動体サービス，携帯サービス）毎に瞬断に対処させるためのメインストリームとサブストリームとの関係を規定するプロファイルが格納されている。
【００２８】
かかるプロファイルの一具体例を図５で説明すると、ここでは、図示するように、音声番組を音楽向けとニュース向けとする１つの例を示しており、固定サービス，移動体サービス，携帯サービス毎に音楽向けの番組とニュース向けの番組とでメインストリームとサブストリームとのビットレートと、瞬断補完のためのメインストリームに対するサブストリームの遅延時間ＴＤ（図３）を規定している。
【００２９】
ここでは、家庭などへの固定サービスの場合には、図５（ａ）に示すように、高品質の音楽やニュースの音声を提供するために、メインストリームを高ビットレートの１４４ｋｂｐｓとし、その瞬断を補完するためのサブストリームも、同様に、１４４ｋｂｐｓのビットレートとしている。また、瞬断も、落雷時などによる非常に短いものとなるので、上記の遅延時間ＴＤも２秒とし、２秒までの瞬断は補完できるようにしている。
【００３０】
車載用受信端末などへの移動体サービスの場合には、図５（ｂ）に示すように、音楽向けの番組の場合には、高品質の音声を提供するために、固定サービスと同様、メインストリーム，サブストリームともに高ビットレートの１４４ｋｂｐｓとし、ニュース向けの番組の場合には、メインストリームのビットレートを１２８ｋｂｐｓとして音楽向けの番組よりも低くし、サブストリームのビットレートをさらに低下させて６４ｋｂｐｓとする。このように品質を低下させても、ニュース番組を聞く分には支障がないし、また、瞬断の補完をさらに低品質のサブストリームで行なっても、格別目立つようなことはない。また、この移動体向けのサービスの場合には、トンネルなどによって比較的長い瞬断が発生する場合もあるので、瞬断補正のためのメインストリームに対するサブストリームの遅延時間ＴＤとしては、音楽向けの番組の場合、かかる長い瞬断も補完できるようにして高品質の音楽を提供できるようにするために、１０秒とし、ニュース向けの番組の場合には、音楽ほどの高品質を必要としないので、５秒として、これ以上の瞬断は短縮するようにする。
【００３１】
携帯電話などの携帯サービスの場合には、図５（ｃ）に示すように、高品質の音声を必要としないから、音楽向け，ニュース向けの番組ともに、メインストリームのビットレートを９６ｋｂｐｓとし、サブストリームは音楽向け番組で９６ｋｂｐｓとし、ニュース向け番組で６４ｋｂｐｓとする。そして、瞬断補完のためのメインストリームに対するサブストリームの遅延時間ＴＤも、音楽，ニュースともに、固定サービスと移動体サービスとの中間をとって、５秒とする。
【００３２】
図４に戻って、以上のような各サービス毎の規定が瞬断対応プロファイルテーブル２８に格納されており、瞬断設定マンマシン２９をユーザが操作することにより、放送する音声番組に該当する規定内容を読み出すことができる。即ち、瞬断対応設定マンマシン２９は、ユーザの所定操作により、その表示画面に図６に示す設定画面３２が表示され、この設定画面３２では、サービスの種類として、「固定サービス」，「移動体サービス」，「携帯サービス」のいずれか１つを選択でき、また、音声番組の種類として、「ニュース向け」，「音楽向け」のいずれか１つを選択できる。
【００３３】
いま、放送する音声番組が、一例として、移動体サービスのニュース番組とすると、ユーザがこの設定画面３２のタッチ操作により、あるいは所定のキー操作により、「移動体サービス」と「ニュース向け」とを選択する。これにより、瞬断対応設定マンマシン２９が瞬断対応プロファイルテーブル２８に作動し、そこでの図５（ｂ）に示す規定内容からメインストリームに対するビットレート１２８ｋｂｐｓ、サブストリームに対するビットレート６４ｋｂｐｓを夫々読み取ってビットレート設定手段３０に供給し、また、遅延時間５秒を読み取って遅延時間設定手段３１に供給する。
【００３４】
そこで、ビットレート設定手段３０は、メインストリーム側のＡＡＣエンコーダ２１にビットレート１２８ｋｂｐｓを設定し、サブストリーム側のＡＡＣエンコーダ２２に６４ｋｂｐｓを設定する。また、遅延時間設定手段３１は、プロトコル処理手段２５に遅延時間５秒を設定する。
【００３５】
しかる後、放送開始時刻になると、素材管理編集部３（図１）が作動し、素材ＤＢ２からこのニュース向けの音声番組素材が読み出され、ＡＡＣエンコーダ２１，２２に供給される。ＡＡＣエンコーダ２１では、この音声番組素材が圧縮符号化されてビットレート１２８ｋｂｐｓのメインストリームが生成され、メインストリームバッファ２３に蓄積され、また、ＡＡＣエンコーダ２２では、この同じ音声番組素材が圧縮符号化されてビットレート６４ｋｂｐｓのサブストリームが生成され、サブストリームバッファ２４に蓄積される。
【００３６】
プロトコル処理手段２５は、メインストリームバッファ２３からメインストリームを、サブストリームバッファ２４からサブストリームを、さらに、ＰＳＩ／ＳＩ設定手段２７からＰＳＩ（Ｐｒｏｇｒａｍ　Ｓｐｅｃｉｆｉｃ　Ｉｎｆｏｒｍａｔｉｏｎ：番組特定情報）／ＳＩ（Ｓｅｒｖｉｃｅ　Ｉｎｆｏｒｍａｔｉｏｎ：番組配列情報）のデータを夫々取り込み、ＭＰＥＧ２の規格に基づいてパケット化処理するのであるが、サブストリームバッファ２４からのサブストリームの取り込みは、遅延時間設定手段３１によって設定された遅延時間ＴＤ（＝５秒）だけ遅れて開始される。これにより、メインストリームに対してサブストリームが５秒だけ遅延されたものとなる。パケット化されたメイン，サブストリームやＰＳＩ／ＳＩのデータは、パケット多重化手段２６により、多重化され、１つの多重ストリームとなって送出部７に供給される。
【００３７】
ここで、図７により、プロトコル処理手段２５とパケット多重化手段２６の動作の一具体例を説明する。
【００３８】
同図において、音声番組放送の開始では、プロトコル処理手段２５は、まず、メインストリームバッファ２３のバッファサイズを確保し（ステップ１００）、次いで、遅延時間設定手段３１によって設定された遅延時間ＴＤ（＝５秒）をもとに、サブストリームバッファ２４のサイズを、メインストリームバッファ２３のバッファサイズよりもこの遅延時間ＴＤに相当するサブストリームのデータサイズ分大きいサイズに設定する（ステップ１０１）。従って、サブストリームバッファ２４のサイズは、図５に示すサービスや素材の種類毎の遅延時間ＴＤの違いに応じて、異ならせることになる。メインストリームバッファ２３へのメインストリームの書込みとサブストリームバッファ２４へのサブストリームの書込みとは同時に開始されるが、サブストリームバッファ２４からのサブストリームの読み出しは、メインストリームバッファ２３からのメインストリームの読み出しよりも、遅延時間ＴＤだけ遅れて開始されることになる。従って、プロトコル処理手段２５には、サブストリームがメインストリームよりも遅延時間ＴＤだけ遅れて供給されることになる。
【００３９】
プロトコル処理手段２５は、メインストリームバッファ２３からのメインストリームやサブストリームバッファ２４からのサブストリーム，ＰＳＩ／ＳＩ設定手段２７からのＰＳＩ／ＳＩのデータを並列処理でもってパケット化するのであるが、まず、メイン，サブストリームをＰＥＳ（Ｐａｃｋｅｔｉｚｅｄ　Ｅｌｅｍｅｎｔａｒｙ　Ｓｔｒｅａｍ）パケット化し（ステップ１０３，１０４）、ＰＳＩ／ＳＩのデータをセクション化する（ステップ１０８）。
【００４０】
なお、図７では、ＰＳＩ／ＳＩのデータのセクション化処理は番組コンテンツのストリーム（メインストリームやサブストリーム）に対して並列処理として示しているが、番組コンテンツのストリームについては、図面の都合上、同じ処理の流れの中に示している。ステップ１０２は、便宜的に並列処理であることを示すために挿入したものである。
【００４１】
図８はＰＥＳパケットのフォーマットの概略を示すものであって、図示するように、ＰＥＳパケットは、メインストリームやサブストリームを符号化・復号単位であるアクセスユニット単位で区分し、この１つのアクセスユニット単位をペイロードとし、これにＰＥＳへッダを付加したものである。ＰＥＳヘッダには、１２８ビットの「ＰＥＳ＿ｐｒｉｖａｔｅ＿ｄａｔａ（ＰＥＳプライベートデータ）」を付加することができ、この実施形態では、この「ＰＥＳ＿ｐｒｉｖａｔｅ＿ｄａｔａ」をＰＥＳパケットの順番を示す番号（以下、パケット番号という）とするものである。そこで、ＰＥＳパケットを作成する毎にカウントアップする１２８ビットのカウンタを用い、ＰＥＳパケットの作成過程でこのカウンタのカウント値をパケット番号としてＰＥＳヘッダに付加する。これにより、一連のＰＥＳパケットに、その作成順に、連番となるパケット番号が付与されることになり、ＰＥＳパケットの順序が判ることになる。また、メインストリームとサブストリームとの同じ順位のＰＥＳパケットには、同じパケット番号が付加される。
【００４２】
さらに、ＰＥＳパケットのペイロードのデータ量は、メインストリームとサブストリームとで、図５（ｂ），（ｃ）に示すように、ビットレートが異なる場合には、これらメインストリームのビットレートとサブストリームのビットレートとに比例する。従って、例えば、図５（ｂ）に示す移動体サービスでのニュース向け番組の場合、メインストリームとサブストリームとのペイロードのデータ量の比率が１２８：６４＝２：１となる。このように、メインストリームとサブストリームとのペイロードのデータ量を設定することにより、メインストリームとサブストリームとの同じパケット番号のＰＥＳパケットのペイロードは、もとの音声番組素材の同じ部分を圧縮符号化したものとなる。また、これにより、後述するように、パケット番号を用いることにより、図３で説明したように、メインストリームの瞬断部分をサブストリームのＰＥＳパケットを用いて補完できるようになる。
【００４３】
図９は図８におけるＰＥＳヘッダの表記法を示す図である。
【００４４】
同図において、「ｓｔｒｅａｍ＿ｉｄ」はＰＥＳパケットのペイロードのストリームＩＤ（Ｉｄｅｎｔｉｆｉｃａｔｉｏｎ：識別符号）を表わすものであり、これにより、このＰＥＳパケットがメインストリームのものか、サブストリームのものかを判定できる。
【００４５】
上記のように、ＰＥＳパケットに連番を付加する場合には、「ｓｔｒｅａｍ＿ｉｄ」を指定するとともに（このとき、図示するように、ｉｆ（ｓｔｒｅａｍｉｄ＝１１０ｘｘｘｘｘｘ）となる）、図示するように、「ＰＥＳ＿ｅｘｔｅｎｓｉｏｎ＿ｆｒａｇ」を１（フラグを立てる）として「ＰＥＳ＿ｅｘｔｅｎｓｉｏｎ＿ｆｒａｇ　＝　１」とすると、「ｉｆ（ＰＥＳ＿ｅｘｔｅｎｓｉｏｎ＿ｆｒａｇ＝＝｀１’）」として、「ＰＥＳ＿ｐｒｉｖａｔｅ＿ｄａｔａ＿ｆｒａｇ」で始まる括弧｛　　｝内のフラグが設定可能となる。そして、この括弧｛　　｝内のフラグ「ＰＥＳ＿ｅｘｔｅｎｓｉｏｎ＿ｆｒａｇ＿２」を１にすると、「ｉｆ（ＰＥＳ＿ｐｒｉｖａｔｅ＿ｄａｔａ＿ｆｒａｇ＝＝｀１’）」となり、その直後の括弧｛　　｝内に「ＰＥＳ＿ｐｒｉｖａｔｅ＿ｄａｔａ」が使用可能となる。
【００４６】
このようにして、作成するＰＥＳヘッダの各フラグを立てることにより、ＰＥＳ＿ｐｒｉｖａｔｅ＿ｄａｔａを連番として付加可能となり、プロトコル処理手段２５は、ＰＥＳパケットの作成毎にＰＥＳパケットのヘッダでかかるフラグを立てる処理を行ない、これとともに、カウンタからのカウント値をパケット番号としてＰＥＳヘッダに付加することになる。従って、各ＰＥＳパケットは、「ｓｔｒｅａｍ＿ｉｄ」によってストリームの種類が判別でき、「ＰＥＳ＿ｐｒｉｖａｔｅ＿ｄａｔａ」によって同じストリームでのＰＥＳパケットの順番を判別することができるようになる。
【００４７】
図１０はＰＥＳヘッダの「ＰＥＳ＿ｐｒｉｖａｔｅ＿ｄａｔａ」にパケット番号を付加する処理の一具体例を示すフローチャートである。
【００４８】
同図において、番組素材の放送が開始されると（ステップ２００）、カウンタはリセットされ、カウント値０（便宜的に、１０進数でいうことにする）に設定される（ステップ２０１）。そして、最初のＰＥＳパケットが生成されとき、このカウント値０がこのＰＥＳパケットのヘッダにパケット番号として付加され（ステップ２０２）、このカウンタが１だけインクリメントされてカウンタ値が１となる（ステップ２０３）。そして、このカウント値が最大値ＭＡＸになっていないときには（ステップ２０４）、次に作成されるＰＥＳパケットのヘッダにこのカウント値２がパケット番号として付加される（ステップ２０２）。
【００４９】
このようにして、ＰＥＳパケットが作成される毎にカウンタのカウント値が１ずつインクリメントされ、これが次に作成されるＰＥＳパケットのパケット番号として使用されることにより、順次のＰＥＳパケットに連番でパケット番号が付加されることになる。その後、カウンタのカウント値が最大値となると（ステップ２０４）、ステップ２００に戻ってカウンタは初期化され（ステップ２０１）、そのカウント値が０となって同様の処理が行なわれる。
【００５０】
図７に戻って、このようにして、メイン，サブストリームがＰＥＳパケット化され（ステップ１０３，１０４）、ＰＳＩ／ＳＩ情報がセクション化されると（ステップ１０８）、次に、作成された夫々のＰＥＳパケットが固定長のＴＳ（Ｔｒａｎｓｐｏｒｔ　ｓｔｒｅａｍ）パケットにパケット化され（ステップ１０５，１０６）、また、セクションによって構成されるＰＳＩ／ＳＩ情報がＴＳパケット化される（ステップ１０９）。
【００５１】
このＴＳパケットは、図１１に示すように、ＰＥＳパケットを１８４バイトに区分した１つをＴＳペイロードとし、これに４バイトのＴＳヘッダを付加したものであり、合計１８８パイトのパケットである。このＴＳパケットのＴＳヘッダには、ＴＳペイロードのデータの種類（メインストリームやサブストリームのデータ，ＰＳＩ／ＳＩのデータ）を示すＰＩＤ（Ｐａｃｋｅｔ　ＩＤｅｎｔｉｆｉｃａｔｉｏｎ：パケットの識別）が付加され、これによって当該ＴＳストリームがどのデータのものかを判別することができる。
【００５２】
図７に戻って、このようにＴＳパケット化された各ストリームはパケット多重化手段２６（図４）に供給されて、各ストリームがＴＳパケット単位で時分割多重化される（ステップ１０７）。これにより、メイン，サブストリームやＰＳＩ／ＳＩのデータが多重化されて１つの多重化信号となり、送出部７（図４）に供給されて放送される。
【００５３】
ここで、図１２により、ＰＳＩ／ＳＩについて、簡単に説明する。
【００５４】
ＰＳＩ／ＳＩは番組特定情報（ＰＳＩ）と番組配列情報（ＳＩ）とからなるものであって、番組素材とともに受信端末に送信することにより、受信端末でこの番組素材を識別し、受信端末で選局する番組素材を正しく受信できるようにするものである。
【００５５】
かかるＰＳＩ／ＳＩは、図１２に示すように、受信すべき番組素材をＴＳパケットのＰＩＤで識別するためのＰＭＴ（Ｐｒｏｇｒａｍ　Ｍａｐ　Ｔａｂｌｅ）と、これを管理し、ＰＭＴをこの番組を選局した受信端末に送るためのＰＡＴ（Ｐｒｏｇｒａｍ　Ａｓｓｏｃｉａｔｉｏｎ　ｔａｂｌｅ）とからなっている。ＰＡＴは放送局単位で割り当てられている。これらＰＡＴとＰＭＴとが対で送信され、受信端末で所定の放送局のチャンネルに選局されると、この放送局に割り当てられたＰＡＴが受信され、このＰＡＴをもとに、これが管理するＰＭＴが受信される。そして、このＰＭＴをもとに、これによって指定されるＰＩＤのＴＳパケットのみが受信され、選局された番組素材のみが受信されることになる。
【００５６】
ここで、ＰＭＴでは、複数のＰＩＤを指定することができ、従って、上記のように、メインストリームとサブストリームとをＴＳパケット単位に送信しても、これらをともに受信することができる。例えば、図示するように、送信側でのＡＡＣエンコーダ２１（図４）で得られたメインストリームに対しては、ＰＩＤ＝３００（１６進数）とし、同様に、ＡＡＣエンコーダ２２（図４）で得られたサブストリームに対しては、ＰＩＤ＝３０１（１６進数）とする。かかるＰＳＩ／ＳＩによると、受信端末では、ＰＩＤ＝３００，３０１のＴＳパケットを受信できることになる。
【００５７】
また、受信端末では、かかるＰＳＩ／ＳＩを用いないと、選局したチャンネル（放送局）の放送番組を受信することができない。このため、かかるＰＳＩ／ＳＩは、番組の送信中、例えば、１０〜２０回／秒の割合で送信されることになり、番組の途中で、いつ選局しても、また、いつ受信端末の電源をオンしても、このＰＳＩ／ＳＩを受信できるようにしており、これにより、この番組の受信が可能となる。
【００５８】
図１３は図１での受信端末１３の要部の一具体例を示すブロック図である。
【００５９】
同図において、ディジタル復調部１６（図１）からのパケット多重化信号はパケット抽出手段３３に供給され、ＰＳＩ／ＳＩ管理手段３９でのＰＳＩ／ＳＩにより、上記のように、このＰＳＩ／ＳＩで指定されるＰＩＤを有するＴＳパケットのみが選択されて逆ＴＳパケット化処理手段３４に供給される。この逆ＴＳパケット化処理手段３４は、図１１に示す構成のＴＳパケットからＴＳペイロードを抽出し、これを繋ぎ合わせて図８に示すＰＥＳパケットを再構成するものであり、さらに、かかるＰＥＳパケットのＰＥＳヘッダでの「ｓｔｒｅａｍ＿ｉｄ」（図９）をもとに、このＰＥＳパケットをメイン，サブストリーム毎に分配する。ＰＳＩ／ＳＩデータのＴＳパケットはＰＳＩ／ＳＩ管理手段３９に供給され、逆パケット化処理がなされてＰＳＩ／ＳＩのデータが得られ、パケット抽出手段３３を管理する。これにより、指定のＰＩＤのＴＳパケットのみを抽出させる。かかるＰＳＩ／ＳＩは、受信される毎に、上記のようにしてＰＳＩ／ＳＩ管理手段３９に供給される。
【００６０】
また、逆ＴＳパケット化処理手段３４からのサブストリームのＰＥＳパケットはサブストリームバッファ３５に、メインストリームのＰＥＳパケットはメインストリームバッファ３６に夫々蓄積される。なお、逆ＴＳパケット化処理手段３４は、メインストリームのＰＥＳパケットを形成する毎に、そのＰＥＳヘッダでのパケット番号を読み取り、レジスタ４０に格納する。従って、瞬断によってメインストリームのＰＥＳパケットが途切れると、レジスタ４０には、新たなパケト番号が供給されなくなり、この瞬断直前のＰＥＳパケットのパケット番号が、新たにＰＥＳパケットが再構成されるまで保持されることになる。
【００６１】
逆ＰＥＳパケット化処理手段３７は、メインストリームに瞬断がなく、そのＰＥＳパケットの欠落がない場合には、メインストリームバッファ３６からメインストリームのＰＥＳパケットを読み出し、このとき、図８及び図９で説明したＰＥＳヘッダの「ｓｔｒｅａｍ＿ｉｄ」とパケット番号の「ＰＥＳ＿ｐｒｉｖａｔｅ＿ｄａｔａ」とから正しくメインストリームのＰＥＳパケットを取り込んだか否かを確認し、その確認後、このＰＥＳパケットのペイロードを抽出して音声番組素材の連続した圧縮符号化ストリームを再構成する。ＡＡＣデコーダ３８は、この圧縮符号化ストリームを伸長復号し、もとの音声番組素材を再現する。
【００６２】
また、瞬断によってメインストリームバッファ３６から次のＰＥＳパケットが得られないときには、逆ＰＥＳパケット化処理手段３７は、次の「ｓｔｒｅａｍ＿ｉｄ」とパケット番号の「ＰＥＳ＿ｐｒｉｖａｔｅ＿ｄａｔａ」とが得られないことからこのことを判定し、レジスタ４０にこのとき保持されているパケット番号を読み取る。そして、このレジスタ４０から読み取ったパケット番号に１を加えで次のパケット番号を作成し、このパケット番号を持つサブストリームのＰＥＳパケットをサブストリーム３５から取り込み、これをメインストリームの該当するＰＥＳパケットに代えてペイロードを抽出する。その後、逆ＰＥＳパケット化処理手段３７は、サブストリームバッファ３５から順番にサブストリームのＰＥＳパケットを取り込み、そのペイロードをＡＡＣデコーダ３８に供給するが、その間もメインストリームバッファ３６を監視しており、メインストリームバッファ３６から「ｓｔｒｅａｍ＿ｉｄ」とパケット番号とが検出できるメインストリームのＰＥＳパケットが読み取れると、瞬断によるＰＥＳパケットの途切れが終了したとして、再びメインストリームバッファ３６からメインストリームのＰＥＳパケットを読み取るようにする。
【００６３】
以上のようにして、受信端末１３では、受信した音声番組素材の瞬断による途切れ部分をサブストリームで補完することができ、途切れのない音声番組を聴取することができる。
【００６４】
また、このような瞬断の補完のためには、メインストリームバッファ３６からのメインストリームの読み出しタイミングとサブストリームバッファ３５からのサブストリームの読み出しタイミングとを、上記の遅延時間ＴＤだけ調整することが必要であり、このため、メインストリームバッファ３６からのメインストリームの読み出しタイミングがこの遅延時間ＴＤだけ遅れるようにしなければならない。従って、受信してから音声再生部２０（図１）で再生するまでにこの遅延時間ＴＤだけ遅れることになるが、かかる遅延時間ＴＤは、図５で説明したように、サービスの種類毎に異ならせ、固定サービスのような瞬断が短いものに対しては、この遅延時間ＴＤを短くして再生までの無駄な遅れ時間を極力短くするようにしており、長い瞬断が発生する移動体サービスに対して、遅延時間ＴＤを長くしており、発生する瞬断の長さに応じて遅延時間ＴＤを設定できるものである。
【００６５】
また、瞬断の発生をメインストリームバッファ３６からのＰＥＳパケットのヘッダの情報を用いて判別するものであるから、瞬断を確実に、かつ瞬時に判別することができ、瞬断の期間のみサブストリームで補完するものであるから、瞬断期間でない部分をもサブストリームのよる補完処理が行なわれるようなこともなく、番組素材の品質の劣化も防止することができる。
【００６６】
なお。図１に示す受信端末１３において、上記のように瞬断を補完できる音声番組を受信するときには、その番組の聴取開始時、映像・図形表示部１９に、図１４（ａ）に示すようなメッセージを表示して、瞬断の補完を行なう処理がなされた番組を受信中であることをユーザに通知し、また、図１４（ｂ）に示すようなメッセージを表示して、ユーザに補完可能な最大の瞬断を知らせるようにしてもよい。かかるユーザへの通知方式は、図１４（ａ）においては、受信端末１３の映像・図形表示部１９（図１）のメモリ空間に格納されている文字あるいはビットマップ情報を瞬断が発生したタイミングで呼び出し、レンダリング処理することで表示してもよい。また、図１４（ｂ）においては、番組開始時からサブストリームに格納されたデータのアクセスユニット単位の数を計測し、アクセスユニット単位の再生時間とアクセスユニット単位の数とにより算出することで、何秒途切れないかを表示することが可能である。
【００６７】
図１５は図１に示す番組素材配信局１の他の具体例の要部を示すブロック図であって、図４に対応する部分には同一符号を付けて重複する説明を省略する。
【００６８】
同図において、この具体例は、ＡＡＣエンコーダ２１で生成される圧縮符号化されたメインストリームからサブストリームを生成するサブストリーム生成手段４１を設け、エンコーダ５（図１）として、メインストリーム用の１個のＡＡＣエンコーダ２１だけを用いるようにしたものである。
【００６９】
サブストリーム生成手段４１は、瞬断対応マンマシン２９から支持される瞬断対応プロファイルテーブル２８での指定内容に応じてＡＡＣエンコーダ２１からのメインストリームからサブストリームを生成するものであって、メインストリームとサブストリームとのビットレートが等しい固定サービス（図５（ａ））及び移動体サービス（図５（ｂ））や携帯サービス（図５（ｃ））の音楽番組向けの場合には、メインストリームに付加されているヘッダをサブストリーム用に書き替えるだけで、サブストリームとする。これに対し、サブストリームがメインストリームよりもビットレートが低い移動体サービスや携帯サービスのニュース番組向けの場合には、メインストリームをフィルタ処理、サブバンド処理してビット削減することにより、ビットレートを低減し、さらに、ヘッダをサブストリーム用に書き替えてサブストリームとする。
【００７０】
以上のこと以外は図４に示した具体例と同様であり、これと同様の効果が得られる上、ＡＡＣエンコーダ２１とサブストリーム生成手段４１とを同じＩＣで構成することができ、回路が占めるスペースを低減できる。
【００７１】
【発明の効果】
以上説明したように、本発明によると、音声番組素材のストリームの瞬断を補完するための情報をサブストリームとして、この音声番組素材のストリームに多重して送信するものであるから、受信したこの音声番組素材のストリームの瞬断が検出されたときには、直ちにこのサブストリームを用いて補完することができるから、放送音声コンテンツの瞬断による途切れをリアルタイムで精度良く補完し、良好な品質の音声コンテンツを得ることができる。
【００７２】
また、かかる瞬断はパケット化されたストリームのパケットに付加されたパケット番号をもとに検出するものであるから、瞬断をパケット単位で検出できてパケット単位で補完することができ、瞬断の期間のみの補完がリアルタイムで可能となって、かつ瞬断の期間以外の期間の不要な補完処理を防止でき、補完処理による受信した音声コンテンツの品質劣化を最小限度に抑えることができる。
【００７３】
さらに、放送局側で瞬断対応の放送サービスを実現する上で、放送帯域を有効に活用しつつ、放送運用者にとって容易に瞬断対応のサービス方式の変更が可能である。
【００７４】
さらに、放送局側で、高価なエンコーダ装置を複数調達せずとも、瞬断対応のサービスが実現可能である。
【図面の簡単な説明】
【図１】図１は本発明によるデジタル放送コンテンツの送信側装置、受信側装置、放送システム及び放送方法の一実施形態を示す構成図である。
【図２】放送局に割り当てられた放送周波数帯の説明図である。
【図３】図１に示す実施形態の瞬断の補正処理の基本原理を示す説明図である。
【図４】図１における番組素材配信局の要部の一具体例を示すブロック図である。
【図５】図４における瞬断対応プロファイルテーブルの一具体例を示す図である。
【図６】図４における瞬断対応設定マンマシンの設定画面の一具体例を示す図である。
【図７】図４におけるプロトコル処理手段とパケット多重化手段の処理動作の一具体例を示すフローチャートである。
【図８】図４におけるプロトコル処理手段で生成されるＰＥＳパケットの構成を示す図である。
【図９】図８に示すＰＥＳパケットにおけるＰＥＳヘッダの表記例を示す図である。
【図１０】図７におけるステップ１０３，１０４，１０８でのカウンタ値の埋込動作を示すフローチャートである。
【図１１】図４におけるプロトコル処理手段で生成されるＴＳパケットの構成を示す図である。
【図１２】図４におけるＰＳＩ／ＳＩの構成を示す図である。
【図１３】図１における受信端末の要部の一具体例を示すブロック図である。
【図１４】図１に示す受信端末の映像・図形表示部での瞬断処理に対する一表示例を示す図である。
【図１５】図１における番組素材配信局の要部の他の具体例を示すブロック図である。
【符号の説明】
１　番組素材配信局
５　エンコーダ
６　局側瞬断対応処理部
１３　受信端末
１７　端末側瞬断対応処理部
１８　デコーダ
２１，２２　ＡＡＣエンコーダ
２３　メインストリームバッファ
２４　サブストリームバッファ
２５　プロトコル処理手段
２６　パケット多重化手段
２８　瞬断対応プロファイルテーブル
２９　瞬断対応マンマシン
３０　ビットレート設定手段
３１　遅延時間設定手段
３３　パケット抽出手段
３４　逆ＴＳパケット化処理手段
３５　サブストリームバッファ
３６　メインストリームバッファ
３７　逆ＰＥＳパケット化処理手段
３８　ＡＡＣデコーダ
３９　ＰＳＩ／ＳＩ管理手段
４０　レジスタ
４１　サブストリーム生成部
【図１】
2004129121.tif 000003
【図２】
2004129121.tif 000004
【図３】
2004129121.tif 000005
【図４】
2004129121.tif 000006
【図５】
2004129121.tif 000007
【図６】
2004129121.tif 000008
【図７】
2004129121.tif 000009
【図８】
2004129121.tif 000010
【図９】
2004129121.tif 000011
【図１０】
2004129121.tif 000012
【図１１】
2004129121.tif 000013
【図１２】
2004129121.tif 000014
【図１３】
2004129121.tif 000015
【図１４】
2004129121.tif 000016
【図１５】
2004129121.tif 000017